(57)【要約】
【課題】健康に有効な作用を期待できるとともに、多用途に利用できる実用性の優れた多機能シートを提供する。
【解決手段】一種又は複数種類の有効微生物を混入させたセラミックス原料粘土を焼成して形成したセラミックスの粉末体をゴム中に担持させ、該ゴムをシート状に形成したことを特徴とする多機能シート１０から構成される。多機能シート１０は、例えば、床仕上げ材１２の下に敷設されたり、健康ベルト２０に使用して身体に密着状に装着されたり、その他広い範囲で使用され得る。
【選択図】図２
0003099508.tif 000002
【実用新案登録請求の範囲】
【請求項１】
　一種又は複数種類の有効微生物を混入させたセラミックス原料粘土を焼成して形成したセラミックスの粉末体をゴム中に担持させ、該ゴムをシート状に形成したことを特徴とする多機能シート。
【請求項２】
　床仕上げ材の下に敷設される請求項１記載の多機能シート。
【請求項３】
　身体に密着状に装着される請求項１記載の多機能シート。
【請求項４】
　寝具の下に敷設される請求項１記載の多機能シート。
【考案の詳細な説明】
【技術分野】
【０００１】
　本考案は、例えば、建築、健康器具等の種々の分野で利用され得る多機能シートに関する。
【背景技術】
【０００２】
　従来より、家屋等の建築物の床上を歩行する際の衝撃音等を緩和、防止するために床に防音構造が設けられており、例えば、特許文献１等に提示されている。特許文献１の防音床構造は、床素地面上に接着剤を介して遮音層および防振層を積層し、その上にフローリングボードを積重しており、フローリングボート下層の遮音層によって衝撃を吸収することによって防音している。
【特許文献１】登録実用新案第３０２３９３８号
【考案の開示】
【考案が解決しようとする課題】
【０００３】
　しかしながら、特許文献１等の床の構造では、防音できる一方で、遮音材等を床素地面上に接着するために接着剤が使用されているので接着剤等に含まれるホルムアルデヒド等の有害な化学物質によって人体へ悪影響を与えたり、又は、床等に発生したダニやカビ等によって健康を害しやすく、いわゆるシックハウス症候群やその他のアレルギー症状等を発症する恐れがあった。また、床等のダニやカビ等も発生を防止するために防カビ剤や防虫剤等が散布される場合もあるが、防カビ剤等の薬品中にも人体に悪影響を与える有害な化学物質が含まれており、健康面への配慮がなされていなかった。特に近年では、これらの身の回りのものから受ける人体への様々な影響への関心が高くなりつつあり、健康面及び衛生面等の向上、保持を図ることができるものの出現が待望されていた。
【０００４】
　本考案は上記従来の課題に鑑みてなされたものであり、その一つの目的は、健康に有効な作用を期待できるとともに、例えば、床下のクッション材や健康器具等に多用途に利用できる扱いやすくて実用性の優れた多機能シートを提供することにある。
【課題を解決するための手段】
【０００５】
　一種又は複数種類の有効微生物を混入させたセラミックス原料粘土を焼成して形成したセラミックスの粉末体をゴム中に担持させ、該ゴムをシート状に形成したことを特徴とする多機能シート１０から構成される。多機能シートの大きさ、形状、厚さ等は、任意でよい。例えば、多機能シート１０は、幅の狭い帯状や、厚みのあるマット状のものでも良い。ゴムシートの弾力性、硬さ等は、任意でよい。ゴムは、例えば、天然ゴム、合成ゴム等任意でよい。セラミックス原料粘土中に混入される有効微生物の種類、量や、ゴム中に担持される有効微生物を封入したセラミックスの種類、量は任意でよく、例えば、その量が多いほどそれらによる有効な効果も高くなると推測される。
【０００６】
　床仕上げ材１２の下に敷設されることとしても良い。床仕上げ材１２は、例えば、フローリング材、畳張りなど任意のもので良い。
【０００７】
　身体に密着状に装着されることとしても良い。多機能シート１０は、例えば、健康ベルトの形態や、サポーターに保持される形態等、任意の形態で保持されて例えば、腰、背中、手、腕、脚、足等身体の任意位置に装着することとしても良い。健康ベルトは、例えば、布製や皮製の帯の内側に多機能シートを縫いつけ等により固定させたものでも良い。なお、多機能シートは、肌に直接密着させても良く、また、間に布などをあてがって密着状に装着させることとしてもよい。
【０００８】
　寝具（３０，３４）の下に敷設されることとしても良い。例えば、布団の下、枕の下等に敷設するとよい。
【考案の効果】
【０００９】
　本考案は、一種又は複数種類の有効微生物を混入させたセラミックス原料粘土を焼成して形成したセラミックスの粉末体をゴム中に担持させ、該ゴムをシート状に形成したことを特徴とするの多機能シートから構成することにより、有効微生物やセラミックスの作用による健康面、衛生面等への有益な効果を期待できるとともに、切断加工等が容易であり、持ち運びも簡単にできて使い勝手も良く、例えば、建材や健康器具等身の回りのものを含め種々の用途に広く実用することができる。
【００１０】
　また、床仕上げ材の下に敷設される構成とすることにより、床上を人が歩行する際に、衝撃を吸収して衝撃緩和及び防音することができるとともに、床下に配置させておくことにより常時健康面、衛生面に有益な効果を期待でき、健康で快適な日常生活を送ることができる。さらに、シートなので扱いやすく、施工も簡単に行うことができる。
【００１１】
　また、身体に密着状に装着される構成とすることにより、日常生活の中で常時装着しながら、健康増進、健康維持効果を期待できる。
【００１２】
　また、寝具の下に敷設される構成とすることにより、クッション材としても機能しつつ特に、睡眠時に健康に良い効果を受けることが期待でき、健康で快適な日常生活を送ることができる。
【考案を実施するための最良の形態】
【００１３】
　以下添付図面を参照しつつ、本考案の実施の形態について説明する。図１には、本考案の多機能シートの実施の形態を示しており、本実施形態において、多機能シート１０は、例えば、１〜３ｍｍ程度の厚さの弾力性のあるゴムシートであって、有効微生物を混入したセラミックス原料粘土を焼成して形成したセラミックスを粉末体にしたものを担持させたゴムをシート状に設けたものである。
【００１４】
　有効微生物は、例えば、有機物を分解し、ヨーグルト、納豆、酒等の発酵食品の製造に使用されたり、或は人の体内や土壌中で、人体や環境等に役立つ酵素やその他生成物を作り出す微生物であり、例えば、光合成菌、乳酸菌、酵母菌、糸状菌、放線菌等が用いられる。有効微生物の一例として、例えば、乳酸菌の一種であるビフィズス菌は、人間の腸内で繁殖するとオリゴ糖等を分解して乳酸を作り、大腸菌等のいわゆる悪玉菌を減少させ、整腸作用等の健康に良い作用を起こすことが知られている。有効微生物は、人体に対して無害であるとともに、例えば、有害物質の除去、病原菌、カビ、ダニ等の病害虫等の繁殖の抑制、悪臭の抑制、抗酸化作用等の効果の研究がされており、これらの有効微生物を利用することにより、健康面、衛生面等へ有益な効果をもたらすことが期待できる。また、有効微生物を複数種類混入させることにより有益な効果が高くなると期待される。
【００１５】
　本実施形態において、セラミックス原料粘土中に上記のような有効微生物を数種類混入し、該原料粘土中に均一になるように練り混ぜ、その後、高温で焼成してセラミックスを形成する。セラミックス原料粘土は、種々の無機物質を含有した粘性のある粘土からなる。例えば、形成されたセラミックスは遠赤外線を放射するものが好適であり、遠赤外線により人体が温熱されることによって健康増進、維持等を期待できる。本実施形態において、セラミックス原料粘土には、有効微生物とともに、植物を有効微生物の働きによって発酵処理しそれを抽出精製した液体等の有機物を混入しており、該セラミックス原料粘土を、例えば、９００〜１３００℃程度の高温で焼成して任意形状のセラミックスを形成する。セラミックス原料粘土中に有機物を混入することにより、セラミックスの焼成時に有機物が炭化し、該炭化成分が形成されたセラミックス中で有効微生物の分解原料となって、有効微生物の作用の長期持続を図れる。この有効微生物の封入されたセラミックスは、例えば、平均粒径７μｍ程度の粉末体に粉砕された状態でゴム中に担持させる。硬くてもろく扱いにくいセラミックスを粉末にしてゴムシートに担時させることにより、使い勝手が良く広い範囲で簡便に利用できる。
【００１６】
　有効微生物を封入したセラミックスの粉末体をゴム中に担持させる際は、例えば、ある程度粘性がある柔らかい状態の天然ゴムに上記のセラミックスの粉末体と固化剤等の薬品を投入し、例えば、ニーダー等の攪拌機によってセラミックス粉末体をゴム中に均一になるように混ぜる。有効微生物を封入したセラミックスは、ゴム中に混ぜられた状態で担持されるので、簡単に離脱することがなくシート形成後に有益な効果を持続し得る。さらに、該ゴムを圧延機等で所要の厚み及び横幅のシート状に加工してゴムシートを形成し、ドラムに巻き取らせる。該ゴムシートをドラムに巻回した状態で加硫釜内に入れて加硫し、ゴムシートに弾力性をもたせて多機能シートが形成される。多機能シートは、例えば、ロール状に巻かれた状態から、必要な大きさに切断されて使用される。形成された多機能シートは、その中に担持された有効微生物及びセラミックスによる有効な効果、例えば、上記したような防カビ、防ダニ、防臭、又は遠赤外線による温熱効果、有害電磁波の抑制等の健康面、衛生面に有益な効果を期待できる。同時に、多機能シートは、ゴムシートからなるので、所要大きさ、所要形状等へ自由に切断加工でき、使い勝手も良く、持ち運びも簡単にできて、例えば、建材や健康器具等種々の用途に利用できる。なお、多機能シートの製造は上記のものに限らずその製造工程は任意で良い。
【００１７】
　図２、図３には、本考案に係る多機能シート１０を床仕上げ材１２の下に敷設し、クッション材として利用した形態を示している。多機能シート１０は、例えば、上記のように形成された多機能シートを７５ｃｍ×１８０ｃｍ程度の大きさの矩形状に形成され、家屋の床下の根太１４に架設された下張り床板１６上に広げて並べて敷設される。敷設された多機能シート１０の上面には、例えば、フローリング材等の床仕上げ材１２が載置されて、多機能シートが中間に挟まれた積層状の床構造を形成している。多機能シート１０は、弾力性を有するゴムシートであるので、床上を人が歩行する際に、衝撃を吸収して衝撃緩和及び防音することができるとともに、有効微生物やセラミックスの作用による室内の湿気等によって発生するカビの防止、ダニの発生の防止、室内の悪臭の防止、遠赤外線による温熱効果等の健康面、衛生面に優れた効果を期待することができる。従って、健康で快適な日常生活を送ることができる。さらに、シートなので扱いやすく、施工も簡単に行うことができる。
【００１８】
　図４、図５は、本考案に係る多機能シート１０を身体に密着状に装着できる形態を示している。図４において、例えば、腰に当てる健康ベルト２０を示している。健康ベルト２０は、腰当て部２２と、腰当て部２２に一端側固定された胴巻帯体２４と、胴巻帯体２４を腰当て部２２の他端側に着脱自在に係止させるロック装置２６と、を備えており、さらに、腰当て部２２に多機能シート１０が配置されている。腰当て部２２は、例えば、略矩形状の２枚の布を面合わせして４辺を縫って袋状に形成したものからなり、袋状内部に多機能シート１０を挟持状に内蔵している。健康ベルト２０は、腰当て部２２を背中側に回すように腰に巻いて、多機能シート１０を腰の背中側に密着状に当てた状態でロック装置２６を介して胴巻帯体２４を係止して装着される。多機能シートを常時装着しておくことにより、有効微生物及びセラミックスの有効な作用による健康増進、健康維持効果を期待できる。また、装着時に汗等によって健康ベルトに雑菌等が繁殖するのを抑制し、汗臭の抑制を図ることができる。なお、図５には、他の形態の健康ベルト２８を示しており、図５において、健康ベルト２８は、多機能シート１０自体を、例えば、手首等に巻付け得るような無端バンド状に加工して設けられている。また、例えば、多機能シートをサポータ等によって保持させて、手、腕、脚、足等、身体の任意位置に密着状に装着させることとしても良い。
【００１９】
　図６は、多機能シート１０を敷布団３０の下に敷設した形態を示している。図６において、多機能シート１０は、ベッド３２の上面側に敷設されており、該多機能シートの上面側に敷布団３０が載置されている。布団の下に敷設される場合も上記同様に、汗等により湿気を帯びて雑菌の繁殖しやすい環境であっても、多機能シート中に担持されている有効微生物及びセラミックによって、カビの発生の防止、ダニの発生の防止、悪臭の防止、遠赤外線による温熱効果等の健康に良い効果を期待することができるとともに、布団の下のクッション材としても機能する。従って、快適に睡眠でき健康な日常生活を送ることができる。なお、多機能シートを例えば、床上面側に敷設してその上面側に敷布団を載置状に敷くこととしても良く、布団の下面側に当接状に敷設しておけば良い。また、枕３４の下に敷設してもよい。
【００２０】
　以上説明した本考案の多機能シートは、上記した実施の形態にのみ限定されるものではなく、実用新案登録請求の範囲に記載した考案の本質を逸脱しない範囲の変形も本考案に含まれる。
【図面の簡単な説明】
【００２１】
【図１】本考案の実施形態に係る多機能シートの斜視図である。
【図２】の多機能シートを床仕上げ材の下に敷設した形態の一部切欠斜視説明図である。
【図３】図２の縦断面一部分説明図である
【図４】多機能シートを健康ベルトに使用した形態の一部切欠斜視説明図である。
【図５】多機能シートを他の形態の健康ベルトに使用した形態の斜視説明図である。
【図６】多機能シートを寝具の下に敷設した形態の側面説明図である。
【符号の説明】
【００２２】
　１０　多機能シート
　１２　床仕上げ材
【図１】
0003099508.tif 000003
【図２】
0003099508.tif 000004
【図３】
0003099508.tif 000005
【図４】
0003099508.tif 000006
【図５】
0003099508.tif 000007
【図６】
0003099508.tif 000008